(57)【特許請求の範囲】
【請求項１】
薄肉プラスチック製ボトル型容器（１）における開口部（1c）に嵌合可能な凸部（1e）を有し前記開口部（1c）を密封する密封部（1d）と、
前記ボトル型容器（１）におけるボトルネック部および前記密封部（1d）を互いに連結するＣ字状、Ｓ字状に湾曲又は捩れ変形可能な細片状の細長い連結部（1b）とを、前記ボトル型容器（１）と一体に形成したことを特徴とする、薄肉プラスチック製ボトル型容器。
【請求項２】
前記密封部（1d）は、前記凸部（1e）が存在する側の面と対向する面に、前記ボトル型容器（１）の前記開口部（1c）と嵌合可能なもう一つの凸部（1f）を有することを特徴とする、請求項１記載の薄肉プラスチック製ボトル型容器。
【請求項３】
前記ボトル型容器（１）の前記開口部（1c）付近の外周面に掛合突起（1g）を具え、
前記密封部（1d）が、前記掛合突起（1g）と掛合して前記ボトル型容器（１）の前記開口部（1c）付近を保持することにより前記密封部（1d）自体を前記ボトル型容器（１）に固着する保持部（1j）を有し、
前記保持部（1j）が、前記ボトル型容器（１）の前記密封部（1d）の周囲に沿って切り裂き可能に前記密封部（1d）に結合されて前記二つの凸部（1e，1f）のうち一方を囲繞していることを特徴とする、請求項２記載の薄肉プラスチック製ボトル型容器。
【請求項４】
薄肉プラスチック製ボトル型容器（１）における開口部（1c）を密封するための密封部材（２）において、
前記密封部材（２）が、前記ボトル型容器（１）におけるボトルネック部に掛止される掛止部（2a）と、
前記ボトル型容器（１）における開口部（1c）に嵌合可能な凸部（2d）を有し前記開口部（1c）を密封する密封部（2b）と、
前記密封部（2b）および前記掛止部（2a）を互いに連結するＣ字状、Ｓ字状に湾曲又は捩れ変形可能な細片状の細長い連結部（2c）と、
を具えることを特徴とする、容器連結用密封部材。
【請求項５】
前記薄肉プラスチック製ボトル型容器（１）は、その容器における単位容積あたりのプラスチック材料の使用量が0.004g/ml〜0.025g/mlのものであることを特徴とする、請求項１から請求項４までのいずれか一項に記載の薄肉プラスチック製ボトル型容器。
【請求項６】
前記薄肉プラスチック製ボトル型容器（１）は、ポリエチレンテレフタレート、ポリエチレンナフタレート、ポリプロピレン等の熱可塑性樹脂からなるものであることを特徴とする、請求項５記載の薄肉プラスチック製ボトル型容器。
【発明の詳細な説明】
【０００１】
【発明の属する技術分野】
この発明は、液体用容器、特には、詰め替え用等に用いられる薄肉プラスチック製ボトル型容器および、その容器用の密封部材に関するものである。
【０００２】
【従来の技術】
近年、省資源やゴミ量削減等を考慮して、詰め替え用の容器が用いられるようになり、袋状容器、パウチ容器、薄肉プラスチック製ボトル型容器等が用いられている。その中でも、薄肉プラスチック製ボトル型容器は、アルミ層を含む積層体等を形成するためコストがかかってしまうパウチ容器に対して、合成樹脂材料等により低コストで容易に製造でき、しかも自立性が高いという利点があるため、例えば、液体洗剤や液状化粧品等の内容物を収納する詰め替え用の容器として要望されている。
【０００３】
ところで、詰め替え用の容器として高い保形性を有する容器を用いると、空のものであっても、内部に空間を有していることから、容器を製造する製造者側からその容器に内容物を充填する利用者（洗剤メーカ等）側への流通の際、充填後の容器と同様に流通コストがかかるとともに、廃棄の際にもかさばったものになってしまう。
【０００４】
これに対し、上記薄肉プラスチック製ボトル型容器は、内容物が充填されていない状態では自立性を有しないほどに超薄肉化させたものであっても、その容器に内容物を充填されれば充分に自立させることができる。しかも、保形性を低くできることから、折りたたむことで流通時や廃棄時等の容積を小さくすることができる。
【０００５】
かかる薄肉プラスチック製ボトル型容器を特に詰め替え用として用いる場合には、その開口部は、内容物が充填された後の流通から、内容物を複数回使用可能な例えばディスペンサー付きの本体容器等に詰め替えられるまでの間、密封されてさえいれば足りる。しかしながら、従来の詰め替え用薄肉プラスチック製ボトル型容器では、複数回使用可能なボトル型容器と同様に、開口部付近に筒状突起等を設け、キャップ等をその筒状突起に嵌合させて容器を密封していた。
【０００６】
さらに、通常のボトル型容器では、容器が各々独立しているので、充填を、例えばラインで行なう場合には、個々の容器を整列させる作業を必要とした。
【０００７】
加えて、空の容器を流通させる際、その容器の開口部が開いていると、その開口部からゴミが入り込んでしまったり、容器を潰した場合にその開いた開口部から空気が中に入り込むのでその容器の潰した状態を維持できない可能性がある。
【０００８】
また、詰め替え用薄肉プラスチック製ボトル型容器に、本体容器に対して数回分の量の内容物を充填してあるような場合、再度ボトル型容器を密封する必要があるが、例えば上述のキャップのように、密封部分がボトル型容器と分離していると、消費者が内容物を本体容器に詰め替える際に誤ってキャップを無くしてしまう可能性もある。
【０００９】
【発明が解決しようとする課題】
この発明は、従来技術における上記の不都合な点を有利に解決した容器連結用密封部を有する薄肉プラスチック製ボトル型容器および容器連結用密封部材を提供することを目的とするものである。
【００１０】
【課題の解決手段およびその作用・効果】
この発明の薄肉プラスチック製ボトル型容器は、薄肉プラスチック製ボトル型容器における開口部に嵌合可能な凸部を有し開口部を密封する密封部と、ボトル型容器におけるボトルネック部および密封部を互いに連結するＣ字状、Ｓ字状に湾曲又は捩れ変形可能な細片状の細長い連結部とを、ボトル型容器と一体に形成したことを特徴とするものである。
【００１１】
この発明の薄肉プラスチック製ボトル型容器にあっては、Ｃ字状、Ｓ字状に湾曲又は捩れ変形可能な細片状の細長い連結部が、ボトル型容器のボトルネック部と密封部とを連結し、その密封部が、ボトル型容器の開口部に嵌合可能な凸部を有しボトル型容器の開口部を密封する。そして密封部と連結部とがボトル型容器と一体に形成されている。
【００１２】
従って、この発明の薄肉プラスチック製ボトル型容器にあっては、連結部をＣ字状に湾曲させることで、密封部を、その密封部を有する容器自身の開口部に容易に対向させることができ、その際に密封部の凸部が容器自身の開口部に対向していない場合には、さらに連結部を捩れば、その密封部の凸部を薄肉プラスチック製ボトル型容器の開口部に容易に対向させることができる。これにより、その凸部を開口部にはめ合わせることでボトル型容器の開口部を容易に封止することができる。
【００１３】
また、連結部をＳ字状に湾曲させることで、密封部を隣接させた別の容器の開口部に容易に対向させることができ、その際に密封部の凸部がその隣接させた別の容器の開口部に対向していない場合には、さらに連結部を捩れば、その密封部の凸部をその別の容器の開口部に容易に対向させることができ、その凸部をその別の容器の開口部にはめ合わせることで、ボトル型容器の開口部が封止される。これにより、ボトル型容器とその容器に隣接させた別の容器とを容易に連結させることができる。
【００１４】
それゆえこの発明の薄肉プラスチック製ボトル型容器によれば、容器を製造する製造者側では、複数の空の容器の流通の便宜等のため、例えば薄肉プラスチック製ボトル型容器に別の薄肉プラスチック製ボトル型容器を潰して隣接させて、その隣接させた別の容器の開口部を先の容器の密封部で上述のように封止することで、それら二つの容器同士を先の容器の連結部を介して互いに連結することができる。
【００１５】
そしてそれら二つの容器の密封部のうち、上記別の容器の密封部については、新たに別の空の薄肉プラスチック製ボトル型容器を潰して隣接させておき、その新たな容器の開口部を同様に封止するのに用いれば、さらにその容器を連結することができるので、かかる連結作業を複数の容器について次々に行なうことにより、それら複数個の空の超薄肉化させた薄肉プラスチック製ボトル型容器を潰した状態で、連結部を介して互いに繋げて容易に整列させることができる。なお、最初に並べた容器の開口部を最後に並べた容器の密封部で封止して、環状に容器を整列させれば、全ての容器の開口部をそれら容器の密封部によりもれなく封止することができる。また、容器が二つだけの場合は上記別の容器の密封部を先の容器の開口部の封止に用いることもできる。
【００１６】
従ってこの発明によれば、複数個の空の超薄肉化させた薄肉プラスチック製ボトル型容器を、少ない梱包容積でより多く流通させることができる。しかも、それら薄肉プラスチック製ボトル型容器の開口部が封止されているので、空の容器を流通させる際、開口部から容器内にゴミ等が入り込むのを防ぐことができ、また、潰した容器内に空気が入り込むのを防いでそれら容器を潰した状態に維持することができるから、清潔でよりコンパクトな容器の流通を可能ならしめることができる。
【００１７】
また、容器に内容物を充填する利用者側では、容器の製造者側から上述のようにして空の複数のボトル型容器が整列した状態で輸送されてきた場合には、ラインで充填作業を行なう際に、容器の整列作業を省くことができるとともに、連結された密封部を隣接する容器の開口部からはずして容器内に内容物を充填し、その後に容器の開口部にその容器自身の密封部をはめることで、容易に各容器の開口部を密封することができる。
【００１８】
そして、容器に充填された内容物を使用する消費者側では、詰め替える本体容器に対して数回分の量の内容物がボトル型容器に充填されているような場合であっても、密封部が容器と一体になっているため、内容物を本体容器に詰め替える際に密封部が無くなることがないので、容器の開封後も再びその開口部を密封部で封止することができる。しかも、密封部と連結部が容器と一体になっているのでそれら密封部および連結部を容器と同様に成形し得て、密封部を有する容器の製造工程を簡略かつ安価なものとすることができる。さらに、容器の使用後は、潰した容器の開口部をその容器の密封部で封止すれば、容器内に空気が入り込まないので、その容器の潰した状態が維持されることから、容器をコンパクトにまとめて廃棄することができる。
【００１９】
なお、この発明の薄肉プラスチック製ボトル型容器は、密封部が、凸部が存在する側の面と対向する面に、ボトル型容器の開口部と嵌合可能なもう一つの凸部を有することとしても良く、このようにすれば、密封部の二つの凸部のうちの一方の凸部を、その容器自身の開口部の封止のために用い、他方の凸部を、隣接させた別の容器の開口部の封止のために用いることで、その密封部に繋がる連結部を捩らずに湾曲させることのみで、その容器自身および隣接させた別の容器のそれぞれについて容易に密封部で封止することができる。
【００２０】
また、この発明の薄肉プラスチック製ボトル型容器は、ボトル型容器の開口部付近の外周面に掛合突起を具え、密封部が、掛合突起と掛合してボトル型容器の開口部付近を保持することにより密封部自体をボトル型容器に固着する保持部を有し、保持部が、ボトル型容器の密封部の周囲に沿って切り裂き可能に密封部に結合されて二つの凸部のうち一方を囲繞していても良く、このようにすれば、それら二つの凸部のうち、保持部に囲繞されていない凸部は連結する容器の開口部の封止に用い、この一方、保持部に囲繞された凸部は内容物の充填後の容器自身の開口部の封止に用いることができる。
【００２１】
このようにすれば、内容物の充填後の、容器が未開封の状態では、その容器の密封部に設けられた凸部が容器自身の開口部の内側に嵌合するとともに、その凸部を囲繞する保持部が、容器に設けられた掛合突起と掛合して容器の開口部付近を保持することにより密封部を容器に固着している。しかも、保持部は、容器の密封部の周囲に沿って切り裂き可能にその密封部に結合されている。このことから、容器を開封するに際しては、保持部を密封部から切り裂いて引きはがすので、容器が未開封であるか開封済であるかの区別を、保持部が、引きはがされているか否かによって容易に判断することができる。従って、容器の未開封の状態と開封済の状態とがその容器の外見から容易に区別できる簡易な構成の薄肉プラスチック製ボトル型容器を提供することができる。
【００２２】
また、この発明の容器連結用密封部材は、薄肉プラスチック製ボトル型容器における開口部を密封するための密封部材において、密封部材が、ボトル型容器におけるボトルネック部に掛止される掛止部と、ボトル型容器における開口部に嵌合可能な凸部を有し開口部を密封する密封部と、密封部および掛止部を互いに連結するＣ字状、Ｓ字状に湾曲又は捩れ変形可能な細片状の細長い連結部とを具えることを特徴とするものである。
【００２３】
かかる容器連結用密封部材によれば、先の薄肉プラスチック製ボトル型容器の密封部および連結部と同様にして、他の容器を封止することによる容器同士の連結と、その容器自身の開口部を封止することによる潰した状態の維持やゴミ等の入り込み防止の効果を達成することができる。しかも、この容器連結用密封部材によれば、薄肉プラスチック製ボトル型容器のボトルネック部からの掛止部の脱着およびその外した状態での密封部の向きの変更により、連結部を捩ることなしに、他の容器を封止することによる容器同士の連結と、その密封部材を掛止した容器の開口部を封止することによる潰した状態の維持やゴミ等の入り込み防止の効果を達成することができる。
【００２４】
なお、この発明の薄肉プラスチック製ボトル型容器は、その容器における単位容積あたりのプラスチック材料の使用量が0.004g/ml〜0.025g/mlのものであっても良く、このようにすれば、薄肉プラスチック製ボトル型容器を、充分な強度で潰し易くすることができる。
【００２５】
さらに、この発明の薄肉プラスチック製ボトル型容器は、ポリエチレンテレフタレート、ポリエチレンナフタレート、ポリプロピレン等の熱可塑性樹脂からなるものであっても良く、このようにすれば、薄肉プラスチック製ボトル型容器を安価に超薄肉化することができる。
【００２６】
【発明の実施の形態】
以下に、この発明の実施の形態を実施例によって、図面に基づき詳細に説明する。ここに、図１(a)は、この発明の連結用密封部を有する薄肉プラスチック製ボトル型容器の第１実施例を示す斜視図、図１(b)は、この実施例のボトル型容器のボトルネック部を含む上側の部分を示す断面図である。図２(a)は、この実施例のボトル型容器を複数個並べられて連結された状態で示す斜視図、図２(b)は、複数個連結されたこの実施例のボトル型容器のボトルネック部を含む上側の部分を示す断面図である。図３(a)，(b)は、この実施例のボトル型容器を開口部がその容器自身の密封部で封止された状態で示す斜視図および断面図である。
【００２７】
図１(a)，(b)に示す、この実施例の超薄肉化させた薄肉プラスチック製ボトル型容器１は、結晶性を有する熱可塑性プラスチック材料、例えば、ポリエチレンテレフタレート、ポリエチレンナフタレート、ポリプロピレン等の熱可塑性樹脂により成形されている。ボトル型容器１には環状フランジ1aがボトルネック部を囲繞して突設されている。そして、その環状フランジ1aには、その一ヵ所から半径方向外方へ突出する変形可能な連結部としての細片状の細長い連結部1bがそのフランジ1aと一体に形成されている。さらに、連結部1bの端部には、ボトル型容器１の開口部1cを覆うための円盤状の密封部1dが、その連結部1bと一体に形成されている。さらにその密封部1dには、図１中下側へ向いた面に、環状の凸部1eが一体に設けられている。なお、ここにおける連結部1bは、図３に示すようにその連結部1bを開口部1cへ向けて湾曲させた時にその端部が少なくとも開口部1cに届く長さで形成されている。
【００２８】
なお、この実施例のボトル型容器１は、その容器における単位容積あたりのプラスチック材料の使用量（連結部1b、密封部1d、凸部1eを除く）を0.004g/ml〜0.025g/mlとして、薄肉プラスチック製ボトル型容器２を超薄肉化させており、これにより、容器の強度を保ちつつ、潰し易いボトル型容器を安価に形成することが可能となる。
【００２９】
図２(a)、(b)は、この実施例のボトル型容器１を三個用い、それらのボトル型容器１を一列に並べて連結部1bを介して互いに連結した状態を示している。
【００３０】
ここでは、それらボトル型容器１を互いに連結する際、図２(b)中、中央のボトル型容器１の胴部を潰した状態で、図２(b)中、左側のボトル型容器１の連結部1bをＳ字状に湾曲させて、その連結部1bに繋げられた密封部1dの凸部1eを、胴部が潰された中央のボトル型容器１の開口部1cに対向させて、その開口部1cにはめ合わせる。これにより、左側のボトル型容器１と中央部のボトル型容器１とが、左側のボトル型容器１の連結部1bを介して互いに連結される。さらに、図２(b)中、右側のボトル型容器１の開口部1cに、同様にして中央のボトル型容器１の密封部1dの凸部1eをはめ合わせる。これにより、上記三個のボトル型容器１が連結される。なお、これら三個のボトル型容器１の配置を環状に変えて、図２(b)中、左に位置するボトル型容器１の開口部1cを、図２(b)中、右側のボトル型容器１の密封部1dにより密封すれば、これら三個のボトル型容器の開口部1cを全て、密封部1dで封止することができる。
【００３１】
上記の操作を複数のボトル型容器１について次々に行うことにより、それらボトル型容器１が、その胴部を潰された状態で連結されるとともに、それらの開口部1cが密封部1dで封止される。
【００３２】
図３(a)，(b)では、この実施例のボトル型容器１が、その容器に内容物が充填された後の、開口部1cの密封状態を示している。この実施例のボトル型容器１の密封部1dでその密封部1dを有するボトル型容器１自身の開口部1cを封止するに際しては、図３(a)，(b)に示すように、連結部1bをＣ字状に湾曲させるとともに、その連結部1bを捩ることで密封部1dの凸部1eと開口部1cとを対向させれば、開口部1cに凸部1eを容易にはめ合わせることができる。
【００３３】
なお、この実施例のボトル型容器１では、上述したように凸部1eが、図１(a)，(b)の如く密封部1dの下側へ向く面に設けられているが、これに限られず、例えば密封部1dの上側へ向く面に設けられていても良く、かかる向きに凸部1eが設けられた場合には、上記連結部1bをＳ字状に湾曲させるとともにその連結部1bを捩れば、その容器に隣接させた別の容器の開口部1cに密封部1dの凸部1eを対向させてその別の容器を封止することでその容器を連結することができ、また、連結部1bをＣ字状に湾曲させれば、そのボトル型容器１自身の開口部1cに密封部1dの凸部1eを対向させてその開口部1cを封止することができる。
【００３４】
それゆえ、この実施例の薄肉プラスチック製ボトル型容器１によれば、容器１とその容器１の密封部1dとを連結部1bと併せて一体で成形しているので、密封部1dを有するボトル型容器１を簡易かつ安価に製造することができる。しかも、容器を製造する製造者側では、複数個の空の容器１を流通させる際、上述のように、複数個のボトル型容器１を潰した状態で、それらボトル型容器１の連結部1bを介して互いに繋げて容易に整列させることができる。従って、複数個のボトル型容器１を、少ない梱包容積でより多く流通させることができる。しかも、ボトル型容器１の開口部1cが封止されているので、空のボトル型容器１を流通させる際、開口部1cからボトル型容器１内にゴミ等が入り込むのを防ぐことができ、また、潰したボトル型容器１内に空気が入り込むのを防いでそれら容器１を潰した状態に維持することができることから、清潔でよりコンパクトな容器の流通を可能ならしめることができる。
【００３５】
また、容器に内容物を充填する利用者側では、容器の製造者側から上述のようにして、空の複数個のボトル型容器１が図２(a)，(b)に示す如く整列した状態で輸送されてきた場合には、ラインで充填作業を行なう際に、容器の整列作業を省くことができるとともに、連結された密封部1dを隣接する容器１の開口部1cからはずして容器１内に内容物を充填し、その後に図３(a)，(b)に示す如く容器１の開口部1cにその容器１自身の密封部1dをはめることで、容易に各容器１の開口部1cを密封することができる。
【００３６】
そして、ボトル型容器１に充填された内容物を使用する消費者側では、詰め替える本体容器に対して数回分の量の内容物がボトル型容器１に充填されているような場合であっても、密封部1dがボトル型容器１と一体になっているため、内容物を本体容器に詰め替える際に密封部1dが無くなることがないので、ボトル型容器１の開封後も再びその開口部1cを密封部1dで封止することができる。さらに、ボトル型容器１の使用後は、ボトル型容器１を潰して開口部1cをその容器１の密封部1dで封止すれば、ボトル型容器１内に空気が入り込まないのでそのボトル型容器１の潰した状態が維持されることから、ボトル型容器１をコンパクトにまとめて廃棄することができる。
【００３７】
図４(a)は、この発明の薄肉プラスチック製ボトル型容器の第２実施例を示す断面図であり、図４(b)は、この実施例の薄肉プラスチック製ボトル型容器を示す斜視図、図４(c)は、この実施例の薄肉プラスチック製ボトル型容器がその開口部を密封された状態を示す斜視図である。
【００３８】
上述の図１に示す第１実施例では、密封部1dの上側へ向く面が平坦なままとされていたが、この実施例の薄肉プラスチック製ボトル型容器では図４(a)〜(c)に示すように、凸部1eと同様の環状の凸部1fが形成されている。
【００３９】
この実施例の薄肉プラスチック製ボトル型容器１によれば、隣接させた別のボトル型容器１を連結する場合には、図４(a)，(b)に示す連結部1bを、上述の図２(b)に示すようにＳ字状に湾曲させれば、その連結部1bに繋がる密封部1dの凸部1eで隣接させたボトル型容器１の開口部1cを封止して、その隣接させたボトル型容器１を連結することができる。また、密封部1dを有するボトル型容器１自身の開口部1cを封止する場合には、連結部1bを、図４(b)中矢印A1の方向へ向かって図４(c)に示す如くＣ字状に湾曲させれば、開口部1cを密封部1dの凸部1fで封止することができる。
【００４０】
従って、この実施例の薄肉プラスチック製ボトル型容器１あっては、密封部1dに繋がる連結部1bを湾曲させることのみで、その密封部1dを設けられたボトル型容器１自身および隣接させた別のボトル型容器１のそれぞれについて容易に封止することができる。
【００４１】
図５(a)は、この発明の薄肉プラスチック製ボトル型容器の第３実施例を示す斜視図であり、図５(b)は、この実施例のボトル型容器１をその容器自身の密封部1dで封止した状態の、ボトル型容器１自身の上側半部を示す断面図であり、図５(c)は、この実施例のボトル型容器１を、その容器自身の密封部1dで封止した状態の、ボトル型容器１自身の上側半部を示す斜視図であり、図５(d)は、この実施例のボトル型容器１を三個連結させた状態で示す斜視図である。
【００４２】
この実施例のボトル型容器１では、図５(a)に示すように、開口部1c付近の外周面に掛合突起としての環状の掛合突条1gが設けられており、また、図５(a)〜図５(c)に示すように密封部1dが、全体として概略カップ状に形成されて、その開口側の端部（図５(b)では下端部）が環状の凸部1fとされるとともに、底部側の端部（図５(b)では上端部）が凸部1hとされ、さらに密封部1dの、連結部1bと対抗する位置に指掛け部1iが設けられている。そしてここでは、図５(a)〜図５(d)に示すように、湾曲可能な薄板状の保持部1jが、ボトル型容器１の密封部1dの連結部1bの部分を除いて、その密封部1dの周囲に沿って六ヶ所に設けられた切り裂き可能な小さな結合部1k介して、密封部1dに結合されて凸部1fを囲繞している。
【００４３】
この実施例の薄肉プラスチック製ボトル型容器１では、図５(d)に示すように、隣接させた別のボトル型容器１の開口部1cを封止する場合、図５(a)に示す連結部1bをＳ字状に湾曲させれば、その連結部1bに繋がる密封部1dの凸部1hで、隣接させたボトル型容器１の開口部1cを封止して、その隣接させたボトル型容器１を連結することができる。また、ボトル型容器１内に内容物が充填された後、密封部1dを有するボトル型容器１自身の開口部1cを封止する場合には、その密封部1dをＣ字状に湾曲させれば、開口部1cを密封部1dの凸部1fで封止することができる。しかも、図５(b)に示すように、内容物の充填後のボトル型容器１の未開封の状態では、掛合突条1gと保持部1jとが掛合して、保持部1jが開口部1c付近を保持し、密封部1d自体がボトル型容器１に固着している。
【００４４】
そして、図５(b)に示す、未開封の容器１を開封するに際しては、保持部1jを矢印A2およびA3に示すように引張れば、六ヶ所の結合部1kが順次に切り裂かれて保持部1jが密封部1dから引きはがされるので、その後は指掛け部1iに指を掛けて上方へ引くことにより、容易に密封部1dを開封することができる。
【００４５】
従って、この実施例の薄肉プラスチック製ボトル型容器１によれば、第２実施例と同様の効果が得られることに加えて、内容物が充填された後、ボトル型容器１が未開封の状態ではボトル型容器１に固着されている保持部1jが、ボトル型容器１を開封する際に密封部1dから引きはがされるので、ボトル型容器１が未開封であるか開封済であるかの区別を、保持部1jが、引きはがされているか否かによって容易に判断することができる。
【００４６】
また、図６(a)は、この発明の容器連結用密封部材の一実施例を示す斜視図、図６(b)は、この実施例の容器連結用密封部材を薄肉プラスチック製ボトル型容器に掛止させた状態で示す断面図である。
【００４７】
図６(a)に示すように、この実施例では、ボトル型容器１のボトルネック部に環状フランジ1Lが設けられている。また、この実施例の容器連結用密封部材２は、例えば容器１と同一のプラスチック材料で形成され、その容器連結用密封部材２は、ボトル型容器１のボトルネック部のフランジ1Lに掛止させることによりボトル型容器１のボトルネック部に掛止される、掛止穴を有する環状の弾性的に伸縮可能な掛止部2aと、薄板からなる円盤状の密封部2bとを有しており、その掛止部2aと密封部2bとは、変形可能な細片状の連結部2cにより連結されている。さらに、その密封部2bには、その一方の端面に、環状の凸部2dが設けられている。
【００４８】
この実施例の容器連結用密封部材２にあっては、図６(a)，(b)に示すように、容器連結用密封部材２を、その密封部2bの凸部2dの向きを図６では下側に向けてその掛止部2aでボトルネック部のフランジ1Lに掛止させれば、図１(a)，(b)に示す上記薄肉プラスチック製ボトル型容器の第１実施例と同様して、図２に示す如く、連結部2cをＳ字状に湾曲させて、隣接させた別のボトル型容器１を連結することができる。
【００４９】
また、容器連結用密封部材２を外して、その外した状態で密封部2dの向きを変更し、その密封部2dの凸部2dを図６では上側に向けてその掛止部2aで上記フランジ1Lに掛止させることにより、内容物の充填後のボトル型容器１自身の開口部1cを封止する場合に、その連結部2cを、図４(b)，(c)に示すと同様にＣ字状に湾曲させて、そのボトル型容器１自身の開口部1cを直接的に封止することができる。
【００５０】
従って、この実施例の容器連結用密封部材２によれば、図６(a)，(b)に示すように、図１に示すボトル型容器１の密封部1dおよび連結部1bと同様にして、図２(a)，(b)に示す如く、他のボトル型容器１を封止することによるボトル型容器１同士の連結と、ボトル型容器１自身の開口部1cを封止することによる潰した状態の維持やゴミ等の入り込み防止の効果を達成することができる。しかも、この容器連結用密封部材２によれば、ボトル型容器１のボトルネック部からの掛止部2aの脱着およびその外した状態での密封部1dの向きの変更により、連結部1bを捩ることなしに、他のボトル型容器１を封止することによるボトル型容器１同士の連結と、その密封部材２を掛止したボトル型容器１の開口部1cを封止することによる潰した状態の維持やゴミ等の入り込み防止の効果を達成することができる。
【００５１】
以上図示例に基づき説明したが、この発明は上記実施例に限定されるものではなく、例えば、上記したこの発明の連結用密封部を有する薄肉プラスチック製ボトル型容器の第１実施例では、ボトル型容器１のボトルネック部に環状フランジ1aを設けたが、ボトル型容器１のボトルネック部を囲繞して設けられる代わりに、部分的に突設された突起でも良い。また、上記したこの発明の連結用密封部を有する薄肉プラスチック製ボトル型容器の第１実施例から第３実施例では、密封部1dに凸部として環状の凸部1e，1fを一体に設けたが、これに限られず、代わりに別体の突起を接着等して設けることとしても良い。また、この発明の容器連結用密封部材の上記実施例の容器連結用密封部材２の密封部2dに設けられた環状の凸部2dの代わりに別体の突起としても良い。
【００５２】
また、連結部1b，2cの形状は、上記実施例では細片状としたが、例えば、円形断面を有するひも状またはさらに細くした糸状であっても良い。さらに、図４に示す、上記この発明の連結用密封部を有する薄肉プラスチック製ボトル型容器の第２実施例の薄肉プラスチック製ボトル型容器１の密封部1dの凸部1eは、図５(b)の凸部1hと同様の形状で設けることとしても良く、また、上記第３実施例の保持部1jおよび指掛け部1iが、図５(a)〜図５(d)と同様にして、図４(a)，図４(b)に示す第２実施例の凸部1fを囲繞して設けられていても良い。
【００５３】
なお、この発明の容器連結用密封部材の上記実施例では、ボトル型容器１のボトルネック部に環状フランジ1Lを設けたが、互いに独立した複数の凸部又は一つの凸部を設けても良く、また、掛止部2aは、掛止穴を有する環状のものとして設けられていたが、これに限られず、例えばボトルネック部に横から嵌めることのできるＣ字状の形状としても良い。
【００５４】
また、この発明のボトル型容器１に適用しうる材料としては、ブロー成型に適した熱可塑性材料であれば、上記したものに限定されるものではなく、容器連結用密封部材２の材料についても上記したものに限定されるものではない。
【図面の簡単な説明】
【図１】  (a)は、この発明の連結用密封部を有する薄肉プラスチック製ボトル型容器の第１実施例を示す斜視図、(b)は、この実施例のボトル型容器のボトルネック部を含む上側の部分を示す断面図である。
【図２】  (a)は、上記実施例のボトル型容器を複数個並べられて連結された状態で示す斜視図、(b)は、複数個連結されたこの実施例のボトル型容器のボトルネック部を含む上側の部分を示す断面図である。
【図３】  (a)，(b)は、上記実施例のボトル型容器を開口部がその容器自身の密封部で封止された状態で示す斜視図および断面図である。
【図４】  (a)は、この発明の薄肉プラスチック製ボトル型容器の第２実施例を示す断面図であり、(b)は、この実施例の薄肉プラスチック製ボトル型容器を示す斜視図、(c)は、この実施例の薄肉プラスチック製ボトル型容器がその開口部を密封された状態を示す斜視図である。
【図５】  (a)は、この発明の薄肉プラスチック製ボトル型容器の第３実施例を示す斜視図であり、(b)は、この実施例のボトル型容器１をその容器自身の密封部1dで封止した状態の、ボトル型容器１自身の上側半部を示す断面図であり、(c)は、この実施例のボトル型容器１をその容器自身の密封部1dで封止した状態の、ボトル型容器１自身の上側半部を示す斜視図であり、(d)は、この実施例のボトル型容器１を三個連結させた状態で示す斜視図である。
【図６】  (a)は、この発明の容器連結用密封部材の一実施例を示す斜視図、(b)は、この実施例の容器連結用密封部材を薄肉プラスチック製ボトル型容器に掛止させた状態で示す断面図である。
【符号の説明】
１  ボトル型容器
1a，1L  環状フランジ
1b，2c  連結部
1c  開口部
1d，2b  密封部
1e，1f，1h，2d  凸部
1g  掛合突条
1i  指掛け部
1j  保持部
1k  結合部
２  容器連結用密封部材
2a  掛止部
A1，A2，A3  矢印
【図１】
0003920518.tif 000002
【図２】
0003920518.tif 000003
【図３】
0003920518.tif 000004
【図４】
0003920518.tif 000005
【図５】
0003920518.tif 000006
【図６】
0003920518.tif 000007